【手続補正書】
【提出日】平成26年11月5日(2014.11.5)
【手続補正１】
【補正対象書類名】明細書
【補正対象項目名】０００２
【補正方法】変更
【補正の内容】
【０００２】
本出願人は、シリンダ等の流体圧機器に配管を介して接続され、該流体圧機器に供給・排出される流体の流量を弁体の位置で調整することにより、該流体圧機器の動作を制御可能な流量制御装置を提案している（特許文献１参照）。
【手続補正２】
【補正対象書類名】明細書
【補正対象項目名】０００５
【補正方法】変更
【補正の内容】
【０００５】
前記の目的を達成するために、本発明は、ニードルバルブを変位させることにより、一組の第１ポートと第２ポートとの間を流通する流体の流量を制御可能な流量制御装置において、
第１ポートを有し、流体を供給又は排出するチューブが接続される継手機構を有する第１ボディと、
第１ボディに連結され、流体の排出又は供給される第２ポートを有する第２ボディと、
ニードルバルブに連結され、回転作用下にニードルバルブを軸線方向に変位させることにより流体の流量を調整可能なハンドルとを備え、
さらに、ハンドルを着脱自在に囲繞するカバーを備えることを特徴とする。
【手続補正３】
【補正対象書類名】明細書
【補正対象項目名】００１３
【補正方法】変更
【補正の内容】
【００１３】
さらにまた、本発明はカバーに設けられるリリース部が該カバーに設けられた溝部で形成され、溝部によりリリース部が第１ボディに近接する側を支点として外方へと撓曲して凸部はハンドルとの係合を解放されることを特徴とする。
【手続補正４】
【補正対象書類名】明細書
【補正対象項目名】００１９
【補正方法】変更
【補正の内容】
【００１９】
またさらに、本発明は、第１ボディは軸方向に延在する本体部と、軸方向と直交する接続部とを有し、カバーは接続部の本体部側基端部に嵌合する切欠を有することを特徴とする。
【手続補正５】
【補正対象書類名】明細書
【補正対象項目名】００２０
【補正方法】変更
【補正の内容】
【００２０】
このように構成することによって、切欠が接続部の本体部側基端部に嵌合するので、カバーの装着によって流量制御装置が大型化することを回避できる。
【手続補正６】
【補正対象書類名】明細書
【補正対象項目名】００２１
【補正方法】変更
【補正の内容】
【００２１】
さらにまた、本発明は、取手部が本体部側基端部に嵌合する切欠の直上に設けられることを特徴とする。
【手続補正７】
【補正対象書類名】明細書
【補正対象項目名】００２９
【補正方法】変更
【補正の内容】
【００２９】
第１ボディ１４は、例えば、樹脂製材料から形成され、軸線方向（矢印Ａ、Ｂ方向）に沿って所定長さで延在する中空状の本体部２６と、前記本体部２６の軸方向に直交して延在し、内部に第１ポート１２を有した接続部２８と、前記本体部２６の外周側に形成され第２ボディ１８と連結される第１連結部３０とから構成される。
【手続補正８】
【補正対象書類名】明細書
【補正対象項目名】００４７
【補正方法】変更
【補正の内容】
【００４７】
外壁部１００の外周面には、図２に示されるように、半径外方向に突出して軸線方向に延在し且つ周方向に等間隔に複数の突出した把持部（肩部）１０８が設けられる。把持部１０８は、図示しない作業者がハンドル２０を回転操作する際に、滑り止め機能を果たす。さらに、前記把持部１０８に加えてハンドル２０には該ハンドル２０の回転動作の基準となる基点部１０９とベース部９８の表面にその回転方向を示す矢印１１１ａ、１１１ｂが設けられる。
【手続補正９】
【補正対象書類名】明細書
【補正対象項目名】００６７
【補正方法】変更
【補正の内容】
【００６７】
本実施の形態では、このようにシリンダのピストンの移動速度が固定された状態で、カバー２４を前記ハンドル２０の外側からこれを被嵌させる。すなわち、カバー２４のＵ字状の切欠１２８を利用して、接続部２８の基端部側にカバー２４を装着する。その際、リリース部１２６の内側に設けられた第３凸部１４０は、ハンドル２０の外周壁に沿って移動し、ハンドル２０の把持部１０８を乗り越えるに至る。第３凸部１４０は、リリース部１２６の内方に形成されているために、カバー２４をハンドル２０に対して図３において下方へと押圧する際、リリース部１２６を若干外方へと押し広げるような作用下にハンドル２０の把持部１０８を容易に乗り越えることができる。第３凸部１４０が、前記把持部１０８を乗り越えることによって、カバー２４は、図３において、上方への移動が阻止されることになる。これによって、ハンドル２０の螺回動作は不可能となり、前記ハンドル２０によって設定された空気の流量は安定的に確保されることになる。
【手続補正１０】
【補正対象書類名】明細書
【補正対象項目名】００８０
【補正方法】変更
【補正の内容】
【００８０】
１０…流量制御装置                  １２…第１ポート
１４…第１ボディ                    １６…第２ポート
１８…第２ボディ                    ２０…ハンドル（操作部）
２２…ニードルバルブ                ２４…カバー
２６…本体部                        ２８…接続部
３２…第１筒部                      ３４…第２筒部
３６…第３筒部                      ４４…チェック弁
５２…シート部                      ５６…第１噛合部
５８…第１凸部                      ６０…第２凸部
６６…ナット                        ７２…流路
７６…継手機構                      ８８…取付部
９０…締付部                        １０４…シャフト
１０７…調整部                      １０８…把持部（肩部）
１１０…第２噛合部                  １１２…フック部
１１４…制御部                      １２４…取手部
１２６…リリース部                  １２８…切欠
１３２…円弧状孔部
【手続補正１１】
【補正対象書類名】特許請求の範囲
【補正対象項目名】全文
【補正方法】変更
【補正の内容】
【特許請求の範囲】
【請求項１】
ニードルバルブを変位させることにより、一組の第１ポートと第２ポートとの間を流通する流体の流量を制御可能な流量制御装置において、
前記第１ポートを有し、前記流体を供給又は排出するチューブが接続される継手機構を有する第１ボディと、
前記第１ボディに連結され、前記流体の排出又は供給される前記第２ポートを有する第２ボディと、
前記ニードルバルブに連結され、回転作用下に前記ニードルバルブを軸線方向に変位させることにより前記流体の流量を調整可能なハンドルとを備え、
さらに、前記ハンドルを着脱自在に囲繞するカバーを備え、
前記カバーには、溝部で形成されるリリース部が設けられ、前記リリース部の内面に凸部が設けられ、前記凸部が前記ハンドルに係合して前記カバーが前記ハンドルに装着され、
前記溝部により前記リリース部が前記第１ボディに近接する側を支点として外方へと撓曲して前記凸部が前記ハンドルとの係合を解放されることを特徴とする流量制御装置。
【請求項２】
請求項１に記載の流量制御装置において、
前記ハンドルの外側に前記カバーの前記凸部が係合する肩部が設けられていることを特徴とする流量制御装置。
【請求項３】
請求項１に記載の流量制御装置において、
前記カバーに治具の脚部を挿入するための円弧状孔部が設けられ、
前記円弧状孔部に前記治具を挿入することにより、前記治具が前記リリース部を外方へ撓曲して前記凸部が前記ハンドルとの係合を解放されることを特徴とする流量制御装置。
【請求項４】
請求項１〜３のいずれか１項に記載の流量制御装置において、
前記カバーは結束部材を取り付けるための取手部を備えることを特徴とする流量制御装置。
【請求項５】
請求項１〜４のいずれか１項に記載の流量制御装置において、
前記第１ボディは軸方向に延在する本体部と、前記軸方向と直交する接続部とを有し、前記カバーは前記接続部の本体部側基端部に嵌合する切欠を有することを特徴とする流量制御装置。
【請求項６】
請求項４に記載の流量制御装置において、
前記第１ボディは軸方向に延在する本体部と、前記軸方向と直交する接続部とを有し、前記カバーは前記接続部の本体部側基端部に嵌合する切欠を有し、
前記取手部が前記本体部側基端部に嵌合する前記切欠の直上に設けられることを特徴とする流量制御装置。